(57)【特許請求の範囲】
【請求項１】
間接活線用のヤットコ（５０）を操作して絶縁テープ（２）を被覆対象物（１）に巻き付けるテープ巻付作業に用いるためのテープ巻付補助具（１０）であって、
第１および第２の保持具（２０，３０）を具備し、
前記第１および第２の保持具が、
上部が切断された円板状の第１および第２の本体（２１，３１）と、
該第１および第２の本体の一方の側面にそれぞれ取り付けられた円柱状の第１および第２のテープ挟持部材（２２，３２）と、
前記第１および第２の本体の他方の側面にそれぞれ取り付けられた、かつ、下面の中央部に前記ヤットコの可動および固定アーム（５１，５２）の先端部をそれぞれ挿入するための第１および第２の挿入孔（２３ａ，３３ａ）がそれぞれ形成された矩形板状の第１および第２の取付部材（２３，３３）と、
前記第１および第２の挿入孔にそれぞれ挿入された前記可動および固定アームの先端部を前記第１および第２の取付部材にそれぞれ固定するため第１および第２の取付手段（２４，３４）とを備える、
ことを特徴とする、テープ巻付補助具。
【請求項２】
前記第１および第２の本体の径が、未使用のロール状の前記絶縁テープの径よりも大きくされており、
前記第１および第２の本体が、該第１および第２の本体の前記一方の側面からそれぞれ見たときに第１および第２の切断面（２１ａ，３１ａ）が水平面になるとともに、該第１および第２の切断面の横方向の長さがそれぞれ該第１および第２のテープ挟持部材の径以上となるように、該第１および第２のテープ挟持部材よりも上の部分が切断されている、
ことを特徴とする、請求項１記載のテープ巻付補助具。
【請求項３】
前記第１および第２のテープ挟持部材の厚さが、前記ヤットコを操作して該第１および第２のテープ挟持部材によって前記絶縁テープのテープ（２ａ）の先端部を挟持したときの該第１および第２のテープ挟持部材の間隔が該テープの厚さよりも小さくなるようにされているとともに、前記絶縁テープの巻芯（２ｂ）の長さの半分以下とされていることを特徴とする、請求項１または２記載のテープ巻付補助具。
【請求項４】
前記第１および第２のテープ挟持部材の少なくとも一方のテープ挟持面に非粘着性膜がコーティングされているか、前記第１および第２のテープ挟持部材のテープ挟持面が凹凸面とされていることを特徴とする、請求項３記載のテープ巻付補助具。
【請求項５】
前記第１および第２のテープ挟持部材が、上部が切断されていない状態での前記第１および第２の本体の中心点と中心点が一致するように、該第１および第２の本体の前記一方の側面にそれぞれ取り付けられており、
前記第１および第２のテープ挟持部材の径が、前記絶縁テープのテープ幅と同じとされている、
ことを特徴とする、請求項３または４記載のテープ巻付補助具。
【請求項６】
前記第１および第２の取付手段が、前記第１および第２の取付部材の前記第１および第２の本体と反対側の面に前記第１および第２の挿入孔と連通するようにそれぞれ形成された第１および第２のネジ穴とそれぞれ螺合する第１および第２の取付ネジ（２４，３４）であるか、第１および第２の軸部の先端が前記第１および第２の挿入孔内にそれぞれ突出するように常に付勢された第１および第２の取付ピンである、
ことを特徴とする、請求項３乃至５いずれかに記載のテープ巻付補助具。
【請求項７】
請求項３乃至６いずれかに記載のテープ巻付補助具を用いて間接活線用のヤットコ（５０）を操作して絶縁テープ（２）を被覆対象物（１）に巻き付けるためのテープ巻付方法であって、
前記絶縁テープの前記テープ（２ａ）を前記巻芯（２ｂ）から引き出し、前記ヤットコを操作して前記可動および固定アーム（５１，５２）を閉じて、該テープの貼着面が前記第２のテープ挟持部材（３２）側となるように前記第１および第２のテープ挟持部材（２２，３２）で該テープの先端部を挟持する第１のステップと、
前記ヤットコを操作して、前記第１のテープ挟持部材（２２）が上側になるようにして前記絶縁テープの前記巻芯側を前記被覆対象物の手前から放り投げて、該絶縁テープの該巻芯側を該被覆対象物の上方を越えさせて該被覆対象物にぶら下げる第２のステップと、
前記ヤットコを操作して、前記テープ巻付補助具を前記被覆対象物の外周面に沿って該被覆対象物の下方まで移動させたのち、前記第１および第２の本体（２１，３１）にそれぞれ形成された前記第１および第２の切断面（２１ａ，３１ａ）を該被覆対象物の奥側にぶら下がっている前記テープに押し付ける第３のステップと、
前記ヤットコを操作して、前記第１および第２の切断面を前記テープに押し付けたまま、前記可動および固定アームを少しずつ開きながら前記テープ巻付補助具を下方に移動させる第４のステップと、
前記ヤットコを操作して、前記第１および第２のテープ挟持部材が前記絶縁テープの前記巻芯内に挿入するように前記可動および固定アームを閉じて、該絶縁テープを前記テープ巻付補助具で保持する第５のステップと、
前記ヤットコを操作して、前記絶縁テープを引き下げて、前記テープを前記被覆対象物の周長ほど前記巻芯から引き出す第６のステップと、
前記ヤットコを操作して、前記テープが該テープの幅方向に約１／２ほど重なって貼り付くように前記巻芯側を前記被覆対象物の手前から上方に移動させたのちに前記可動および固定アームを開きながら前記絶縁テープを該被覆対象物の奥側上方で離して、該絶縁テープの該巻芯側を該被覆対象物の上方を越えさせて該被覆対象物にぶら下げる第７のステップと、
前記第５乃至第７のステップを必要な回数だけ繰り返して、前記被覆対象物に前記テープを螺旋状に巻き付けて該被覆対象物の表面を被覆する第８のステップと、
を具備することを特徴とする、テープ巻付方法。
【発明の詳細な説明】
【技術分野】
【０００１】
本発明は、間接活線作業における架空電線などへのテープ巻付作業（テーピング作業）に用いるのに好適なテープ巻付補助具およびテープ巻付方法に関する。
【背景技術】
【０００２】
従来、架空電線（架線や縁線など）が樹木の枝などと接触することにより架空電線の被覆が劣化したり傷付いたりして内部の銅線が露出した電線被覆損傷箇所を被覆する際や、スリーブを介して２本の架空電線を直線的に接続した電線接続部に被せられるスリーブカバーを架空電線に固定する際には、短筒状厚紙で構成される巻芯の外周に一定幅の長尺のテープを貼着面を内側にして巻き重ねてロール状に形成された自己融着性テープや粘着性ポリエチレンテープなどの絶縁テープ（図２（ａ）に示す絶縁テープ２参照）を架空電線やスリーブカバーの外周に巻き付けている。
【０００３】
このとき、間接活線作業で絶縁テープを架空電線やスリーブカバー（被覆対象物）に巻き付ける際には、間接活線用のヤットコ（図１（ｄ）に示すヤットコ５０参照）で絶縁テープを挟んで伸ばしながら行っている（下記の特許文献１の段落０００３，０００４参照）が、絶縁テープを挟みにくかったり絶縁テープを伸ばすときに滑ったりして、作業に時間がかかっていた。
【０００４】
このような問題を解決する手法として、本出願人は、下記の特許文献１において、間接活線把持工具の把持部の把持解除時に、ロール状の粘着テープが、第１の可動保持部の第１の保持面と第２の可動保持部の第２の保持面とによる保持が解除されるとともに、自重によって内面側が第１の可動保持部の下り傾斜面に接触しつつ下り傾斜面に沿って降下することにより第１の可動保持部から離脱するとともに自重による第２の可動保持部の回動によってテープ巻付部位よりも奥側へ送り出すことにより、間接活線把持工具の全体を横方向に移動させることなくロール状の絶縁テープをテープ保持部から離脱させられるようにしたテープ巻付先端工具を提案している。
また、本出願人は、下記の特許文献２において、ロール状の絶縁テープを保持するための少なくとも一対のテープ保持棒と、把持部の先端側の接離方向と直交する方向に沿って突出するとともに把持部の先端側が接離するのに伴って互いに平行を保ちつつ接離するように一対のテープ保持棒を把持部の先端側に着脱自在に取り付け可能な接続部とを備えたテープ巻付先端工具を提案している。
【先行技術文献】
【特許文献】
【０００５】
【特許文献１】特開２０１４−７５８８０号公報
【特許文献２】特開２００８−１７６００号公報
【発明の概要】
【発明が解決しようとする課題】
【０００６】
しかしながら、上記の特許文献１，２で提案したテープ巻付先端工具は、テープ巻付作業において、絶縁テープを手前に引く→絶縁テープを手前上に持ち上げる→絶縁テープを架空電線の上方を超えて架空電線よりも奥側で放す→架空電線の奥側に移動した絶縁テープを架空電線の下側で再度把持して手前下に引っ張るという手順を繰り返す際には有効であるが、以下に示すような問題がある。
（１）上記の特許文献１で提案したテープ巻付先端工具
構造が複雑で大きく、風の強い時などでは絶縁テープを挟み難い。
最初に絶縁テープの引出部の先端部が架空電線などに貼り付けられた状態の下で使用するものであるため（公報の段落０００３参照）、最初に絶縁テープの端部を架空電線などに貼り付ける作業には使用することができない。
（２）上記の特許文献２で提案したテープ巻付先端工具
一対のテープ保持棒で絶縁テープをその肉厚方向に挟持するため、テープ巻付作業中に一対のテープ保持棒が傾いたり平行が保たれなくなったりすると絶縁テープがテープ巻付先端工具から抜け落ち易くなる。
また、最初に絶縁テープからロールを解いて引き出した絶縁テープの端部は絶縁テープの接着力を生じさせるために作業者の手で長手方向に引き伸ばす必要があるため（公報の段落００６２参照）、間接活線把持工具を操作して垂れ下がった絶縁テープの端部を架空電線に向けて放り上げて絶縁テープの接着力のみを利用して絶縁テープの端部を架空電線に貼付するものであり、絶縁テープの端部を架空電線に必ずしも確実に貼付することができないという問題がある。
【０００７】
本発明の目的は、簡単な構造であり、絶縁テープを確実に保持することができるとともに絶縁テープの端部を被覆対象物へ貼り付ける際にも使用することができるテープ巻付補助具およびテープ巻付方法を提供することにある。
【課題を解決するための手段】
【０００８】
本発明のテープ巻付補助具は、間接活線用のヤットコ（５０）を操作して絶縁テープ（２）を被覆対象物（１）に巻き付けるテープ巻付作業に用いるためのテープ巻付補助具（１０）であって、第１および第２の保持具（２０，３０）を具備し、前記第１および第２の保持具が、上部が切断された円板状の第１および第２の本体（２１，３１）と、該第１および第２の本体の一方の側面にそれぞれ取り付けられた円柱状の第１および第２のテープ挟持部材（２２，３２）と、前記第１および第２の本体の他方の側面にそれぞれ取り付けられた、かつ、下面の中央部に前記ヤットコの可動および固定アーム（５１，５２）の先端部をそれぞれ挿入するための第１および第２の挿入孔（２３ａ，３３ａ）がそれぞれ形成された矩形板状の第１および第２の取付部材（２３，３３）と、前記第１および第２の挿入孔にそれぞれ挿入された前記可動および固定アームの先端部を前記第１および第２の取付部材にそれぞれ固定するため第１および第２の取付手段（２４，３４）とを備えることを特徴とする。
ここで、前記第１および第２の本体の径が、未使用のロール状の前記絶縁テープの径よりも大きくされており、前記第１および第２の本体が、該第１および第２の本体の前記一方の側面からそれぞれ見たときに第１および第２の切断面（２１ａ，３１ａ）が水平面になるとともに、該第１および第２の切断面の横方向の長さがそれぞれ該第１および第２のテープ挟持部材の径以上となるように、該第１および第２のテープ挟持部材よりも上の部分が切断されていてもよい。
ここで、  前記第１および第２のテープ挟持部材の厚さが、前記ヤットコを操作して該第１および第２のテープ挟持部材によって前記絶縁テープのテープ（２ａ）の先端部を挟持したときの該第１および第２のテープ挟持部材の間隔が該テープの厚さよりも小さくなるようにされているとともに、前記絶縁テープの巻芯（２ｂ）の長さの半分以下とされていてもよい。
前記第１および第２のテープ挟持部材の少なくとも一方のテープ挟持面に非粘着性膜がコーティングされているか、前記第１および第２のテープ挟持部材のテープ挟持面が凹凸面とされていてもよい。
前記第１および第２のテープ挟持部材が、上部が切断されていない状態での前記第１および第２の本体の中心点と中心点が一致するように、該第１および第２の本体の前記一方の側面にそれぞれ取り付けられており、前記第１および第２のテープ挟持部材の径が、前記絶縁テープのテープ幅と同じとされていてもよい。
前記第１および第２の取付手段が、前記第１および第２の取付部材の前記第１および第２の本体と反対側の面に前記第１および第２の挿入孔と連通するようにそれぞれ形成された第１および第２のネジ穴とそれぞれ螺合する第１および第２の取付ネジ（２４，３４）であるか、第１および第２の軸部の先端が前記第１および第２の挿入孔内にそれぞれ突出するように常に付勢された第１および第２の取付ピンであってもよい。
本発明のテープ巻付方法は、本発明のテープ巻付補助具を用いて間接活線用のヤットコ（５０）を操作して絶縁テープ（２）を被覆対象物（１）に巻き付けるためのテープ巻付方法であって、前記絶縁テープの前記テープ（２ａ）を前記巻芯（２ｂ）から引き出し、前記ヤットコを操作して前記可動および固定アーム（５１，５２）を閉じて、該テープの貼着面が前記第２のテープ挟持部材（３２）側となるように前記第１および第２のテープ挟持部材（２２，３２）で該テープの先端部を挟持する第１のステップと、前記ヤットコを操作して、前記第１のテープ挟持部材（２２）が上側になるようにして前記絶縁テープの前記巻芯側を前記被覆対象物の手前から放り投げて、該絶縁テープの該巻芯側を該被覆対象物の上方を越えさせて該被覆対象物にぶら下げる第２のステップと、前記ヤットコを操作して、前記テープ巻付補助具を前記被覆対象物の外周面に沿って該被覆対象物の下方まで移動させたのち、前記第１および第２の本体（２１，３１）にそれぞれ形成された前記第１および第２の切断面（２１ａ，３１ａ）を該被覆対象物の奥側にぶら下がっている前記テープに押し付ける第３のステップと、前記ヤットコを操作して、前記第１および第２の切断面を前記テープに押し付けたまま、前記可動および固定アームを少しずつ開きながら前記テープ巻付補助具を下方に移動させる第４のステップと、前記ヤットコを操作して、前記第１および第２のテープ挟持部材が前記絶縁テープの前記巻芯内に挿入するように前記可動および固定アームを閉じて、該絶縁テープを前記テープ巻付補助具で保持する第５のステップと、前記ヤットコを操作して、前記絶縁テープを引き下げて、前記テープを前記被覆対象物の周長ほど前記巻芯から引き出す第６のステップと、前記ヤットコを操作して、前記テープが該テープの幅方向に約１／２ほど重なって貼り付くように前記巻芯側を前記被覆対象物の手前から上方に移動させたのちに前記可動および固定アームを開きながら前記絶縁テープを該被覆対象物の奥側上方で離して、該絶縁テープの該巻芯側を該被覆対象物の上方を越えさせて該被覆対象物にぶら下げる第７のステップと、前記第５乃至第７のステップを必要な回数だけ繰り返して、前記被覆対象物に前記テープを螺旋状に巻き付けて該被覆対象物の表面を被覆する第８のステップとを具備することを特徴とする。
【発明の効果】
【０００９】
本発明のテープ巻付補助具およびテープ巻付方法は、以下に示す効果を奏する。
（１）一対の保持具のテープ挟持部材でテープの先端部を挟持して絶縁テープの端部の被覆対象物への貼付作業を行えるとともに、一対の保持具のテープ挟持部材を絶縁テープの巻芯内に挿入して絶縁テープを保持して絶縁テープの被覆対象物への巻付作業を行えることができるため、テープ巻付補助具を簡単な構成とすることができる。
（２）テープ巻付補助具で絶縁テープを容易に保持できるため、絶縁テープを確実に保持することができる。
（３）一対の保持具のテープ挟持部材を絶縁テープの巻芯内に挿入して絶縁テープを保持するため、絶縁テープが滑ることなく引き伸ばすことができる。
（４）テープ巻付作業時間の短縮化、作業員の負担の軽減化および作業の安全化を図ることができる。
【図面の簡単な説明】
【００１０】
【図１】本発明の一実施例によるテープ巻付補助具１０の構成について説明するための図であり、（ａ）はテープ巻付補助具１０の正面図であり、（ｂ）は第１の保持具２０の左側面図であり、（ｃ）はテープ巻付補助具１０をヤットコ５０に装着した状態を示す正面図である。
【図２】図１に示したテープ巻付補助具１０を用いたテープ巻付作業の手順を説明するための図である。
【発明を実施するための形態】
【００１１】
上記の目的を、一対の保持具のテープ挟持部材でテープの先端部を挟持して絶縁テープの端部の被覆対象物への貼付作業を行えるとともに一対の保持具のテープ挟持部材を絶縁テープの巻芯内に挿入して絶縁テープを保持して絶縁テープの被覆対象物への巻付作業を行える構成とすることにより実現した。
【実施例１】
【００１２】
以下、本発明のテープ巻付補助具およびテープ巻付方法の実施例について図面を参照して説明する。
本発明の一実施例によるテープ巻付補助具１０は、図１（ａ）に示す第１および第２の保持具２０，３０を具備する。
【００１３】
ここで、第１の保持具２０は、上部が切断された円板状の第１の本体２１と、円柱状の第１のテープ挟持部材２２と、右側面（第１の本体２１と反対側の面）の上側の角部が斜め下方に向けて切断された矩形板状の第１の取付部材２３と、第１の取付ネジ２４とを備える。
【００１４】
第１の本体２１の径は、未使用のロール状の絶縁テープ２（図２（ａ）参照）の径よりも大きくされている。
また、第１の本体２１は、図１（ｂ）に示すように、左側面（第１のテープ挟持部材２２側の側面）から見たときに切断面（以下、「第１の切断面２１ａ」と称する。）が水平面（地面と平行な面）になるとともに、第１の切断面２１ａの横方向の長さが第１のテープ挟持部材２２の径以上となるように、第１のテープ挟持部材２２よりも上の部分が切断されている。
【００１５】
第１のテープ挟持部材２２は、上部が切断されていない状態での第１の本体２１の中心点と中心点が一致するように、第１の本体２１の左側面に取り付けられている。
また、第１のテープ挟持部材２２の径は絶縁テープ２のテープ幅（たとえば、２ｃｍ）と同じとされている。
【００１６】
第１の取付部材２３は、上面が第１の本体２１の第１の切断面２１ａよりも下方となるとともに下面が第１の本体２１の下端面よりも上方となるように、第１の本体２１の右側面に取り付けられている。
第１の取付部材２３の下面の中央部には、図１（ｃ）に示す間接活線用のヤットコ５０の可動アーム５１の先端部を挿入するための第１の挿入孔２３ａが形成されている。
第１の取付部材２３の右側面の下中央部には、第１の取付ネジ２４と螺合する第１のネジ穴が、第１の挿入孔２３ａと連通するように形成されている。
【００１７】
第１の取付ネジ２４は、第１の取付部材２３の第１の挿入孔２３ａに挿入されたヤットコ５０の可動アーム５１の先端部を第１の取付部材２３に固定して、第１の保持具２０をヤットコ５０に装着するためのものである（図１（ｃ）参照）。
【００１８】
第２の保持具３０は、第１の保持具２０と同じ寸法で同様に構成されている。
すなわち、第２の保持具３０は、上部が切断された円板状の第２の本体３１と、円柱状の第２のテープ挟持部材３２と、左側面（第２の本体３１と反対側の面）の上側の角部が斜め下方に向けて切断された矩形板状の第２の取付部材３３と、第２の取付ネジ３４とを備える。
【００１９】
第２の本体３１の径は、未使用の絶縁テープ２の径よりも大きくされている。
また、第２の本体３１は、右側面（第２のテープ挟持部材３２側の側面）から見たときに切断面（以下、「第２の切断面３１ａ」と称する。）が水平面になるとともに、第２の切断面３１ａの横方向の長さが第２のテープ挟持部材３２の径以上となるように、第２のテープ挟持部材３２よりも上の部分が切断されている。
【００２０】
第２のテープ挟持部材３２は、上部が切断されていない状態での第２の本体３１の中心点と中心点が一致するように、第２の本体３１の右側面に取り付けられている。
また、第２のテープ挟持部材３２の径は絶縁テープ２のテープ幅と同じとされている。
【００２１】
第２の取付部材３３は、上面が第２の本体３１の第２の切断面３１ａよりも下方となるとともに下面が第２の本体３１の下端面よりも上方となるように、第２の本体３１の左側面に取り付けられている。
第２の取付部材３３の下面の中央部には、ヤットコ５０の固定アーム５２の先端部を挿入するための第２の挿入孔３３ａが形成されている（図１（ｃ）参照）。
第２の取付部材３３の左側面の下中央部には、第２の取付ネジ３４と螺合する第２のネジ穴が、第２の挿入孔３３ａと連通するように形成されている。
【００２２】
第２の取付ネジ３４は、第２の取付部材３３の第２の挿入孔３３ａに挿入されたヤットコ５０の固定アーム５２の先端部を第２の取付部材３３に固定して、第２の保持具３０をヤットコ５０に装着するためのものである（図１（ｃ）参照）。
【００２３】
なお、第１および第２のテープ挟持部材２１，３２は、後述するように絶縁テープ２のテープ２ａの先端部を挟持するためにも使用するものであるため、第１および第２のテープ挟持部材２１，３２の互いに対向する面（以下、「テープ挟持面」と称する。）の少なくとも一方に非粘着性膜（たとえば、フッ素樹脂塗膜など）をコーティングしたり、第１および第２のテープ挟持部材２１，３２のテープ挟持面を凹凸面としたりしてもよい。
【００２４】
また、第１および第２のテープ挟持部材２２，３２の厚さ（横方向の長さ）は、図２（ａ）に示すようにヤットコ５０を操作して可動アーム５１および固定アーム５２を閉じたときにテープ２ａの先端部を挟持できるように第１および第２のテープ挟持部材２２，３２の間隔がテープ２ａの厚さよりも小さくなるようにされているとともに、図２（ｄ）に示すようにヤットコ５０を操作して可動アーム５１および固定アーム５２を閉じたときに第１および第２のテープ挟持部材２２，３２を絶縁テープ２の巻芯２ｂ内に挿入して第１および第２の本体２１，３１で絶縁テープ２を両側面から挟持できるように巻芯２ｂの長さ（絶縁テープ２のテープ幅方向の長さ）の半分以下とされている。
【００２５】
次に、テープ巻付補助具１０を用いた架空電線１へのテープ巻付作業の手順について、図２（ａ）〜（ｄ）を参照して説明する。
（１）手順１
作業員は、絶縁テープ２のテープ２ａを１０ｃｍほど巻芯２ｂから引き出し、引き出したテープ２ａを引き延ばして粘着力を大きくしたのち、ヤットコ５０を操作して可動アーム５１および固定アーム５２を閉じることにより、図２（ａ）に示すようにテープ２ａの貼着面が第２のテープ挟持部材３２側となるようにテープ巻付補助具１０の第１および第２のテープ挟持部材２２，３２でテープ２ａの先端部を挟持する。
このとき、テープ２ａが第２のテープ挟持部材３２に貼り付かないように、テープ２ａの先端部を２ｃｍほど折り返して接着させて、折り返したテープ２ａの先端部を第１および第２のテープ挟持部材２２，３２で挟持するようにしてもよい。
【００２６】
（２）手順２
作業員は、ヤットコ５０を操作して、第１のテープ挟持部材２２が上側になる（すなわち、テープ２ａの貼着面が架空電線１側になる）ようにして絶縁テープ２の巻芯２ｂ側を架空電線１の手前から放り投げることにより、絶縁テープ２の巻芯２ｂ側を架空電線１の上方を越えさせて架空電線１にぶら下げる（図２（ａ）参照）。
これにより、絶縁テープ２の端部の架空電線１と接触する部分（テープ２ａの架空電線１の奥側斜め上方の部分）が、絶縁テープ２の巻芯２ｂ側の重さによって引き下げられて架空電線１に貼り付く。
【００２７】
（３）手順３
作業員は、図２（ｂ）に示すように、ヤットコ５０を操作して、テープ巻付補助具１０を架空電線１の外周面に沿って架空電線１の下方まで移動させたのち、第１および第２の保持具２０，３０の第１および第２の本体２１，３１に形成された第１および第２の切断面２１ａ，３１ａを架空電線１の奥側にぶら下がっているテープ２ａに押し付ける。
これにより、絶縁テープ２の端部の架空電線１と接触する部分（テープ２ａの架空電線１の手前略半分の部分）の貼着面が架空電線１に押し付けられて架空電線１に貼り付く。
その後、作業員は、ヤットコ５０を操作して、図２（ｃ）に示すように、第１および第２の切断面２１ａ，３１ａをテープ２ａに押し付けたまま、可動アーム５１および固定アーム５２を少しずつ開きながらテープ巻付補助具１０を下方に移動させる。
これにより、手前側のテープ２ａの貼着面が第１の切断面２１ａによって奥側のテープ２ａの貼着面に押し付けられて両者が貼り付くため、絶縁テープ２の端部を架空電線１に貼り付けることができる。
【００２８】
（４）手順４
その後、作業員は、ヤットコ５０を操作して、図２（ｄ）に示すように、第１および第２の保持具２０，３０の第１および第２のテープ挟持部材２２，３２が絶縁テープ２の巻芯２ｂ内に挿入するように可動アーム５１および固定アーム５２を閉じることにより、絶縁テープ２をテープ巻付補助具１０で保持する。
【００２９】
（５）手順５
作業員は、ヤットコ５０を操作して、絶縁テープ２を引き下げることにより、テープ２ａを架空電線１の周長ほど巻芯２ｂから引き出す。
その後、作業員は、ヤットコ５０を操作して、テープ２ａがその幅方向に約１／２ほど重なって貼り付くように絶縁テープ２の巻芯２ｂ側を架空電線１の手前から上方に移動させたのちに可動アーム５１および固定アーム５２を開きながら絶縁テープ２を架空電線１の奥側上方で離すことにより、絶縁テープ２の巻芯２ｂ側を架空電線１の上方を越えさせて架空電線１にぶら下げる。
【００３０】
（６）手順６
作業員は、上述した手順４，５を必要な回数だけ繰り返すことにより、架空電線１にテープ２ａを螺旋状に巻き付けて架空電線１の表面を被覆する。
【００３１】
（７）手順７
作業員は、ヤットコ５０を操作して、テープ２ａが切れるまで絶縁テープ２を架空電線１から離すことにより、テープ２ａを巻芯２ｂから引き千切る。
その後、作業員は、ヤットコ５０を操作して、引き千切られたテープ２ａの末端部を第１および第２のテープ挟持部材２２，３２で挟持して架空電線１に貼り付ける。
【００３２】
なお、以上の説明では、第１および第２の取付ネジ２４，３４を用いて第１および第２の保持具２０，３０をヤットコ５０に装着したが、第１および第２の取付ピンを用いてもよい。
この場合には、第１の取付ピンの頭部と第１の挿入孔２３ａとの間に取り付けた第１の圧縮バネに第１の取付ピンの軸部を貫通させて、第１の取付ピンの軸部の先端が第１の挿入孔２３ａ内に突出するように第１の取付ピンを第１の圧縮バネによって常に付勢させるとともに、第２の取付ピンの頭部と第２の挿入孔３３ａとの間に取り付けた第２の圧縮バネに第２の取付ピンの軸部を貫通させて、第２の取付ピンの軸部の先端が第２の挿入孔３３ａ内に突出するように第２の取付ピンを第２の圧縮バネによって常に付勢させる。
これにより、第１の取付ピンの頭部を手前に引いてヤットコ５０の可動アーム５１の先端部を第１の挿入孔２３ａに挿入したのちに第１の取付ピンの頭部を離すことにより第１の保持具２０をヤットコ５０に装着することができるとともに、第２の取付ピンの頭部を手前に引いてヤットコ５０の固定アーム５２の先端部を第２の挿入孔３３ａに挿入したのちに第２の取付ピンの頭部を離すことにより第２の保持具３０をヤットコ５０に装着することができる。
【符号の説明】
【００３３】
１  架空電線
２  絶縁テープ
２ａ  テープ
２ｂ  巻芯
１０  テープ巻付補助具
２０，３０  第１および第２の保持具
２１，３１  第１および第２の本体
２１ａ，３１ａ  第１および第２の切断面
２２，３２  第１および第２のテープ挟持部材
２３，３３  第１および第２の取付部材
２３ａ，３３ａ  第１および第２の挿入孔
２４，３４  第１および第２の取付ネジ
５０  ヤットコ
５１  可動アーム
５２  固定アーム
【図１】
0005973523.tif 000002
【図２】
0005973523.tif 000003